(57)【要約】【課題】通信品質が低下することを抑制する。【解決手段】本明細書によって開示される端子付き電線は、通信用の信号が伝送される芯線１３を絶縁性の絶縁被覆１４によって覆った少なくとも１本の被覆電線１２と、被覆電線１２の外周を覆う導電性のシールド部１５と、シールド部１５の外周を覆うシース部１６と、を有するシールド電線１１と、被覆電線１２に接続される内導体２０と、を備えた端子付き電線２５であって、被覆電線１２の内導体２０側の端部は、シース部１６およびシールド部１５から露出した露出部１７とされており、露出部１７は、導電性を有するインピーダンス調整部材８０によって覆われている構成とした。【選択図】図１２
2020107567.tif 000002
【特許請求の範囲】
【請求項１】
通信用の信号が伝送される芯線を絶縁性の絶縁被覆によって覆った少なくとも１本の被覆電線と、前記被覆電線の外周を覆う導電性のシールド部と、前記シールド部の外周を覆うシース部と、を有するシールド電線と、
前記被覆電線に接続される端子と、を備えた端子付き電線であって、
前記被覆電線の前記端子側の端部は、前記シース部および前記シールド部から露出した露出部とされており、
前記露出部は、導電性を有するインピーダンス調整部材によって覆われている端子付き電線。
【請求項２】
前記シールド電線は、複数の被覆電線を含み、
前記インピーダンス調整部材は、前記露出部の外周面に沿ってそれぞれ装着される筒状の調整部本体を複数有している請求項１に記載の端子付き電線。
【請求項３】
前記調整部本体は、周方向に延びるスリットを有している請求項２に記載の端子付き電線。
【請求項４】
前記インピーダンス調整部材は、前記複数の調整部本体を連結する連結部をさらに備えている請求項２または請求項３に記載の端子付き電線。
【請求項５】
請求項４に記載の端子付き電線と、
前記端子を複数並べて収容する端子収容部材と、を備えた端子モジュールであって、
前記連結部は、前記複数の被覆電線の間の距離が前記端子収容部材に収容される端子の間の距離と実質的に同一となるように前記調整部本体を連結している端子モジュール。
【請求項６】
前記端子収容部材は、前記インピーダンス調整部材を収容する調整部材収容部を有しており、
前記端子収容部材にいて前記端子が収容される部分と前記調整部材収容部との間には、前記インピーダンス調整部材が前記露出部に対して正規の位置に装着されていない場合に前記インピーダンス調整部材と干渉する位置ずれ検知部が設けられている請求項５に記載の端子モジュール。
【請求項７】
前記位置ずれ検知部は、前記端子収容部材において前記複数の端子の間を隔てる隔壁とされている請求項６に記載の端子モジュール。
【請求項８】
請求項５から請求項７のいずれか一項に記載の端子モジュールと、
前記端子モジュールの外周を覆う外導体と、
前記外導体に覆われた端子モジュールを収容するハウジングと、を備えたコネクタ。
【発明の詳細な説明】
【技術分野】
【０００１】
本明細書によって開示される技術は、端子付き電線、端子モジュールおよびコネクタに関する。
【背景技術】
【０００２】
例えば、シールド電線の端末に接続されたシールドコネクタとして、特開２０１３−２２９２５５号公報（下記特許文献１）に記載のものが知られている。シールド電線は、内部導体を絶縁性の保護被覆で覆った複数のシールド線の外周をシールド箔とシース部によってさらに覆った構造となっており、それぞれのシールド線の内部導体の端末にオス端子が電気的に接続されている。
【先行技術文献】
【特許文献】
【０００３】
【特許文献１】特開２０１３−２２９２５５号公報
【発明の概要】
【発明が解決しようとする課題】
【０００４】
ところで、この種のコネクタのように、シールド線の端末に端子を電気的に接続するには、シールド電線の端末においてシールド箔とシース部を皮剥ぎする必要がある。すると、シールド電線の端末では、シールド箔に覆われていない部分が生じ、シールド箔に覆われている部分に対してインピーダンスが変化する。インピーダンスの変化点においては、信号の反射が生じ、通信品質が低下することが懸念される。
【０００５】
本明細書では、通信品質が低下することを抑制する技術を開示する。
【課題を解決するための手段】
【０００６】
本明細書によって開示される技術は、通信用の信号が伝送される芯線を絶縁性の絶縁被覆によって覆った少なくとも１本の被覆電線と、前記被覆電線の外周を覆う導電性のシールド部と、前記シールド部の外周を覆うシース部と、を有するシールド電線と、前記被覆電線に接続される端子と、を備えた端子付き電線であって、前記被覆電線の前記端子側の端部は、前記シース部および前記シールド部から露出した露出部とされており、前記露出部は、導電性を有するインピーダンス調整部材によって覆われている構成とした。
【０００７】
このような構成の端子付き電線によると、被覆電線の露出部は、導電性を有するインピーダンス調整部材に覆われており、シールド部から露出した被覆電線が端子の接続される直前の位置まで導電性を有する部材によって覆われた状態となるから、露出部とシールド電線においてシールド部に覆われている被覆電線との間でインピーダンスが変化することを抑制できる。これにより、被覆電線における通信品質の低下を抑制することができる。
【０００８】
本明細書によって開示される端子付き電線は、以下の構成としてもよい。
前記シールド電線は、複数の被覆電線を含み、前記インピーダンス調整部材は、前記露出部の外周面に沿ってそれぞれ装着される筒状の調整部本体を複数有している構成としてもよい。
【０００９】
このような構成によると、シールド部から露出した複数の被覆電線の露出部が調整部本体によって個別に覆われることにより、調整部本体によって露出部のインピーダンスが変化することを個別に抑制できるから、例えば、複数の被覆電線の露出部がインピーダンス調整部材によって一括して覆われる場合に比べて、露出部においてインピーダンスが変化することをさらに抑制することができる。
【００１０】
前記調整部本体は、周方向に延びるスリットを有している構成としてもよい。
このような構成によると、スリットの大きさを変化させて露出部を覆う調整部本体の領域を容易に変更することができる。これにより、露出部におけるインピーダンスを容易に調整することができ、露出部におけるインピーダンスの調整精度を向上させることができる。したがって、露出部とシールド電線においてシールド部に覆われている被覆電線との間で信号の反射が生じることをさらに抑制でき、通信品質が低下することをさらに抑制することができる。
【００１１】
前記インピーダンス調整部材は、前記複数の調整部本体を連結する連結部をさらに備えている構成としてもよい。
複数の調整部本体が連結部によって連結されているから、例えば、調整部本体が露出部毎に個別に別体として構成されている場合に比べて、インピーダンス調整部材の部品点数を低減することができる。
【００１２】
本明細書によって開示される技術は、前記端子付き電線と、前記端子を複数並べて収容する端子収容部材と、を備えた端子モジュールであって、前記連結部は、前記複数の被覆電線間の距離が前記端子収容部材に収容される端子間の距離と実質的に同一となるように前記調整部本体を連結している構成とした。なお、ここでいう実質的に同一とは、被覆電線間の距離と端子間の距離とが同一である場合を含むと共に、被覆電線間の距離と端子間の距離とがやや異なるなど同一でない場合でも実質的に同一であるとみなしうる場合も含む。
【００１３】
このような構成の端子モジュールによると、インピーダンス調整部材の連結部によって複数の被覆電線の間の距離を端子収容部材における端子の間の距離に合わせることができるから、例えば、複数の端子を端子収容部材のそれぞれの組み付け位置に対して位置決めして組み付ける場合に比べて、端子を端子収容部材に組み付ける組み付け作業性を向上させることができる。
【００１４】
前記端子収容部材は、前記インピーダンス調整部材を収容する調整部材収容部を有しており、前記端子収容部材にいて前記端子が収容される部分と前記調整部材収容部との間には、前記インピーダンス調整部材が前記露出部に対して正規の位置に装着されていない場合に前記インピーダンス調整部材と干渉する位置ずれ検知部が設けられている構成としてもよい。
【００１５】
例えば、被覆電線の露出部に対してインピーダンス調整部材が正規の位置とは異なる位置に装着されている場合、露出部においてインピーダンスを十分に調整することができず通信品質が低下することが懸念される。また、インピーダンス調整部材が端子側にずれて装着された場合には、端子とインピーダンス調整部材とが接触して端子同士が短絡する虞がある。
【００１６】
ところが、このような構成によると、露出部に対してインピーダンス調整部材が端子側に位置ずれした不正規な位置に装着されている場合には、調整部材収容部へインピーダンス調整部材を組み付ける際に、インピーダンス調整部材と位置ずれ検知部とが干渉することにより、インピーダンス調整部を調整部材収容部に収容することができなくなっている。これにより、インピーダンス調整部材が位置ずれすることに起因して通信品質が低下することを防ぐことができると共に、端子同士が短絡することを防ぐことができる。また、振動などによってインピーダンス調整部材が露出部から位置ずれすることを防ぐことができる。
【００１７】
前記位置ずれ検知部は、前記端子収容部材において前記複数の端子の間を隔てる隔壁とされている構成としてもよい。
このような構成によると、端子収容部材におけるキャビティ間の隔壁をインピーダンス調整部材の位置ずれを検知する位置ずれ検知部とすることができる。つまり、端子収容部材に位置ずれ検知部を別途形成する必要がないから、端子収容部材の形状が複雑になることを抑制することができる。
【００１８】
本明細書によって開示される技術は、前記端子モジュールと、前記端子モジュールの外周を覆う外導体と、前記外導体に覆われた端子モジュールを収容するハウジングと、を備えている。
【発明の効果】
【００１９】
本明細書によって開示される技術によれば、通信品質が低下することを抑制する。
【図面の簡単な説明】
【００２０】
【図１】実施形態に係るコネクタの斜視図
【図２】コネクタの正面図
【図３】図２のＡ−Ａ線断面図
【図４】コネクタの分解斜視図
【図５】インピーダンス調整部材が展開された状態を示す斜視図
【図６】インピーダンス調整部材が展開された状態を示す正面図
【図７】インピーダンス調整部材が展開された状態を示す平面図
【図８】アッパ部材の底面図
【図９】シールド電線の被覆電線に内導体が接続された状態を示す平面図
【図１０】露出部にインピーダンス調整部材を装着する前の状態を示す斜視図
【図１１】インピーダンス調整部材の底部に露出部を配置した状態を示す平面図
【図１２】端子付き電線の斜視図
【図１３】端子付き電線の平面図
【図１４】端子付き電線の側面図
【図１５】図１４のＢ−Ｂ線断面図
【図１６】上下反転させたアッパ部材に端子付き電線を組み付ける前の状態を示す斜視図
【図１７】上下反転させたアッパ部材に端子付き電線を組み付けた状態を示す平面図
【図１８】図１７のＣ−Ｃ線断面図
【図１９】上下反転させたアッパ部材にロア部材を組み付ける前の状態を示す斜視図
【図２０】上下反転させた状態の端子モジュールの斜視図
【図２１】端子モジュールの正面図
【図２２】図２１のＤ−Ｄ線断面図
【図２３】不正規の位置に装着されたインピーダンス調整部材と端子収容部材の中央位置ずれ検知とが接触した状態を示す図１８に相当する断面図
【図２４】他の実施形態に係る端子付き電線の斜視図
【発明を実施するための形態】
【００２１】
＜実施形態＞
本明細書に開示された技術における一実施形態について図１から図２３を参照して説明する。
本実施形態は、例えば電気自動車やハイブリット自動車等の車両に搭載され、例えば車両内における車載電装品（カーナビゲーションシステム、ＥＴＣ、モニタ等）と外部機器（カメラ等）との間や、車載電装品間の有線の通信経路に配される通信用のコネクタ１０を例示している。
【００２２】
コネクタ１０は、図１から図４に示すように、シールド電線１１と、シールド電線１１の前側の端末に接続される複数の内導体（「端子」の一例）２０と、複数の内導体２０を収容する端子収容部材３０と、端子収容部材３０の外周を覆った状態でシールド電線１１に接続される外導体５０と、外導体５０を収容するハウジング７０とを備えて構成されている。
【００２３】
シールド電線１１は、複数の被覆電線１２と、複数の被覆電線１２の外周を一括して覆う編組線からなるシールド部１５と、シールド部１５のさらに外周を覆う絶縁性の被覆からなるシース部１６とを備えて構成されている。本実施形態のシールド電線１１は、２本の被覆電線１２がシールド部１５に一括して覆われている。
【００２４】
各被覆電線１２は、導電性を有する芯線１３を絶縁性の絶縁被覆１４によって覆った形態とされている。被覆電線１２は、シールド部１５に覆われた状態では、２本の被覆電線１２が捻って撚り合わせた状態となっており、シールド電線１１の端末である前端部では、シース部１６が皮剥ぎされて、撚りが解かれた状態の２本の被覆電線１２とシールド部１５とが露出している。
【００２５】
シース部１６の端末から露出した各被覆電線１２の前端部は、絶縁被覆１４がさらに皮剥ぎされて芯線１３が露出した状態となっており、露出した芯線１３には、内導体２０が電気的に接続されている。
【００２６】
シールド部１５は、複数の導電性を有する金属細線を筒状に編んで形成されている。シース部１６の端末から露出したシールド部１５は、シース部１６の端部上に折り返されてシース部１６の端末の外周を覆った折り返し部１５Ａとされている。
【００２７】
内導体２０は、導電性を有する金属板材をプレスなどによって加工することによって形成されている。内導体２０は、いわゆる雌型端子であって、図示しないピン型の雄端子が挿入されて接続される角筒状の接続筒部２２を有しており、接続筒部２２の後方に芯線１３に圧着して接続される電線接続部２４が連なって形成されている。
【００２８】
端子収容部材３０は、合成樹脂製であって、図２０に示すように、前後方向に長い直方体状に形成されている。
端子収容部材３０の前後方向中央部よりも前部には、図３および図２２に示すように、前後方向に延びるキャビティ３１が左右方向に並んで形成されている。各キャビティ３１内には、被覆電線１２に接続された内導体２０が収容可能とされている。
【００２９】
端子収容部材３０の後部は、各キャビティ３１から後方に引き出された被覆電線１２が一括して収容される大収容部３２とされている。
また、端子収容部材３０は、図１９および図２０に示すように、下部に配置されるロア部材３３と、上部に配されるアッパ部材４０とを上下方向に組み合わせることで構成されている。
【００３０】
ロア部材３３は、図４および図４に示すように、端子収容部材３０の下壁３０Ｄを構成する底壁３３Ｄと、底壁３３Ｄの両側縁に設けられた一対の係止片３４とを備えて構成されている。底壁３３Ｄは、前後方向に長い略矩形の板状に形成されており、底壁３３Ｄには２つの内導体２０が左右方向に並んで載置されるようになっている。
【００３１】
一対の係止片３４は、底壁３３Ｄの後端部から上方に延出されて形成されており、各係止片３４は、左右方向に貫通する略矩形状の係止孔３４Ａを有している。
【００３２】
アッパ部材４０は、図４、図８および図１６に示すように、端子収容部材３０の上壁３０Ｕを構成する天井壁４０Ｕと、天井壁４０Ｕの前端部に設けられた前壁４２と、天井壁４０Ｕの左右方向の両側縁にそれぞれ設けられた側壁４４とを備えて構成されている。
【００３３】
天井壁４０Ｕは、前後方向に長い略矩形の平板状に形成されている。天井壁４０Ｕの左右方向略中央部には、天井壁４０Ｕから下方に向けて延出する隔壁４５が形成されている。隔壁４５は、アッパ部材４０とロア部材３３とが組み付けられると、ロア部材３３の底壁３３Ｄと上下方向に対向するように近接して配され、端子収容部材３０内に収容される２つの内導体２０を隔てるようになっている。
【００３４】
前壁４２は、天井壁４０Ｕの前端縁から下方に延びた板状に形成されている。前壁４２には、雄端子が挿入される挿入口４２Ａが設けられている。
一対の側壁４４は、それぞれが天井壁４０Ｕから下方に延出した形態とされており、前壁４２の左右方向の両側の側縁にそれぞれ連なって形成されている。
【００３５】
各側壁４４の前後方向略中央部には、アッパ部材４０とロア部材３３とが組み付けられた際に、ロア部材３３の係止片３４が嵌合される嵌合凹部４４Ａが形成されている。嵌合凹部４４Ａは、側壁４４の下端部から天井壁４０Ｕまで上下方向に切欠かれた形態をなしており、嵌合凹部４４Ａに臨む天井壁４０Ｕの側縁には、外方にむかって突出する係止突起４６が形成されている。
【００３６】
係止突起４６は、アッパ部材４０とロア部材３３とが組み付けられて嵌合凹部４４Ａ内にロア部材３３の係止片３４が嵌合された際に、図２２に示すように、係止片３４の係止孔３４Ａに嵌まり込んでアッパ部材４０とロア部材３３とを組み付けた状態に保持するようになっている。
【００３７】
外導体５０は、図３および図４に示すように、端子収容部材３０の外周を覆う第１外導体５１と、第１外導体５１およびシールド電線１１の折り返し部１５Ａの外周を覆うように第１外導体５１に組み付けられる第２外導体６０とによって構成されている。
【００３８】
第１外導体５１は、導電性を有する金属板材をプレスなどによって加工することによって形成されており、端子収容部材３０を収容する筒状部５２と、筒状部５２の後端縁に設けられたシールド接続部５３とを備えている。
【００３９】
筒状部５２は、正面視略矩形の角筒状をなしており、筒状部５２の後方から端子収容部材３０が挿入されて収容されるようになっている。
シールド接続部５３は、図３に示すように、筒状部５２の下側後端縁から斜め下後方に向かって延びる繋ぎ片５４と、繋ぎ片５４の後端縁から後方に向かって真っ直ぐ延びる舌片５５とを備えている。
【００４０】
舌片５５は、略矩形の板状をなしており、筒状部５２内に端子収容部材３０が収容されると、シールド電線１１における折り返し部１５Ａの下側の外周面に沿って配置されるようになっている。
【００４１】
第２外導体６０は、導電性を有する金属板材をプレスなどによって加工することによって形成されており、図３および図４に示すように、筒状部５２からシールド電線１１の折り返し部１５Ａの位置まで延びる天井板６１と、天井板６１の前部に設けられた一対の固定バレル６２と、天井板６１の後部に設けられた一対の接続バレル６３とを備えて構成されている。
【００４２】
天井板６１は、筒状部５２の後部から折り返し部１５Ａまでの領域を上方から覆う大きさに形成されており、天井板６１の前部には、上下方向に貫通するランス孔６１Ａが設けられている。
【００４３】
一対の固定バレル６２は、天井板６１の前部における左右方向の両側縁に設けられており、左右方向の両側から巻き付くように筒状部５２の後部に圧着されるようになっている。
一対の接続バレル６３は、一対の固定バレル６２の後方に連なるように天井板６１の後部における左右方向の両側縁に設けられており、左右方向の両側から折り返し部１５Ａに巻き付くように圧着されるようになっている。
【００４４】
一対の接続バレル６３のうちの一方は、折り返し部１５Ａにおける左右方向の一方の側部に沿って配置される側板６４と、側板６４の上端に設けられた固定片６５とを有しており、他方は、折り返し部１５Ａにおける左右方向の他方の側部に沿って配置される側板６４と、側板６４の上端に設けられた２つの固定片６５とを有している。
【００４５】
それぞれの固定片６５は、折り返し部１５Ａの上面に配置された舌片５５と共に折り返し部１５Ａに巻き付くように圧着されるようになっている。それぞれの固定片６５の先端部には、内側に向かって折り返したフック部６６が形成されている。
【００４６】
フック部６６は、それぞれの固定片６５が圧着されると舌片５５の左右方向の両側縁のいずれか一方に引っ掛かることにより、それぞれの固定片６５をシールド部１５から外れないように固定する。これにより、図３に示すように、第１外導体５１と第２外導体６０とによって構成される外導体５０がシールド電線１１のシールド部１５に電気的に接続固定されるようになっている。
【００４７】
ハウジング７０は、合成樹脂製であって、シールド電線１１に接続された外導体５０が収容される外導体収容部７２を有している。
外導体収容部７２は、前後方向に貫通する角筒状に形成されており、外導体収容部７２内には、外導体５０のランス孔６１Ａの縁部と係止可能なランス７３が設けられている。ランス７３は、外導体５０が外導体収容部７２の正規収容位置に収容されると、ランス孔６１Ａに嵌まり込み、ランス７３とランス孔６１Ａの縁部とが係止することで外導体５０がハウジング７０内に保持されるようになっている。
【００４８】
さて、２本の被覆電線１２のうち端子収容部材３０のそれぞれのキャビティ３１から後方に引き出された部分は、図１２から図２０に示すように、シールド電線１１のシース部１６の端末から露出した露出部１７とされており、これらの露出部１７には、インピーダンス調整部材８０が装着されている。
【００４９】
インピーダンス調整部材８０は、導電性を有する金属板材をプレスなどによって加工することによって形成されている。インピーダンス調整部材８０は、被覆電線１２における露出部１７の外周に装着される複数の調整部本体８２と、複数の調整部本体８２を連結する連結部８５とを備えて構成されている。本実施形態のインピーダンス調整部材８０は、２本の被覆電線１２における２つの露出部１７にそれぞれ装着される２つの調整部本体８２を１つの連結部８５によって連結して構成されている。
【００５０】
それぞれの調整部本体８２は、露出部１７の外周面を周方向に３／４程度覆うように外周面に沿った略円筒状に形成されている。それぞれの調整部本体８２は、径方向に開口する側方開口８３を有しており、側方開口８３の縁部における前後方向略中央部には、周方向に延びるスリット８４が形成されている。
また、調整部本体８２は、露出部１７の前後方向略中央部に装着されており、調整部本体８２の前後方向の長さ寸法は、露出部１７の前後方向の長さ寸法よりもやや短くなっている。
【００５１】
したがって、それぞれの調整部本体８２は、調整部本体８２の前後方向両端部から露出部１７が僅かに露出している。また、調整部本体８２は、調整部本体８２の径方向に設けられた側方開口８３から露出部１７が周方向に１／４程度露出した状態となっている。
【００５２】
連結部８５は、それぞれの調整部本体８２における側方開口８３が左右方向に互いに対向するように２つの調整部本体８２を左右方向に連結しており、上方に向かって膨らむように湾曲した形態とされている。
【００５３】
また、連結部８５は、図１３に示すように、後部に比べて前部が左右方向に幅広に形成されており、連結部８５は、図１６および図１７に示すように、連結部８５の前端部に連なる調整部本体８２の前端部間の距離と、端子収容部材３０における内導体２０間の距離とが実質的に同一寸法となるような大きさに形成されている。
【００５４】
言い換えると、連結部８５は、調整部本体８２がそれぞれ装着された２つの被覆電線１２間の距離と端子収容部材３０に収容される内導体２０間の距離とが実質的に同一となるように２つの調整部本体８２を連結している。なお、ここでいう実質的に同一とは、被覆電線１２間の距離と内導体２０間の距離とが同一である場合を含むと共に、被覆電線１２間の距離と内導体２０間の距離とが同一でない場合でも実質的に同一であるとみなしうる場合も含む。
【００５５】
一方、端子収容部材３０における大収容部３２は、図１７に示すように、２本の被覆電線１２の露出部１７と共にインピーダンス調整部材８０が収容可能とされており、大収容部３２の前端部においてインピーダンス調整部材８０が収容される領域は、２つのキャビティ３１が形成された領域よりも左右方向に幅広に形成されている。
【００５６】
端子収容部材３０のキャビティ３１が形成された領域と大収容部３２とが形成された領域との間の左右方向の両側の側壁３０Ａには、被覆電線１２が配置される領域に向かって突出する本体位置検知部（「位置ずれ検知部」の一例）４７が形成されている。本体位置検知部４７は、露出部１７に取り付けられたインピーダンス調整部材８０が大収容部３２内に収容された状態では、調整部本体８２の前方に配置されるようになっている。
【００５７】
また、端子収容部材３０内に収容される２つの内導体２０を隔てる隔壁４５の後端部は、露出部１７に取り付けられたインピーダンス調整部材８０が大収容部３２内に収容された状態では、連結部８５の前方に配置される中央位置検知部（「位置ずれ検知部」の一例）４８とされている。
【００５８】
本体位置検知部４７と、中央位置検知部４８とは、図１７から図１９に示すように、インピーダンス調整部材８０が露出部１７に対して正規の取付位置に装着されている場合には、インピーダンス調整部材８０が大収容部３２内に収容されることを許容する。一方、インピーダンス調整部材８０が露出部１７に対して前側に位置ずれした不正規の取付位置に装着されている場合には、図２３に示すように、本体位置検知部４７が調整部本体８２と接触して干渉する、もしくは中央位置検知部４８が連結部８５と接触して干渉することにより、インピーダンス調整部材８０を端子収容部材３０に収容することができないようになっている。
【００５９】
本実施形態は、以上のような構成であって、次に、通信用のコネクタ１０の組み立て手順の一例を簡単に説明し、続けて、コネクタ１０の作用および効果について説明する。
まず、シールド電線１１のシース部１６を皮剥ぎして、２本の被覆電線１２の端末とシールド部１５を露出させ、シールド部１５をシース部１６の外面に折り返して折り返し部１５Ａを形成する。また、２本の被覆電線１２の前端部の絶縁被覆１４を皮剥ぎして芯線１３を露出させ、図９に示すように、露出した芯線１３に電線接続部２４を圧着して内導体２０を接続する。
【００６０】
次に、シールド電線１１の２本の被覆電線１２の露出部１７にインピーダンス調整部材８０を装着する。
ここで、インピーダンス調整部材８０は、露出部１７に装着する前の展開状態では、図５から図７に示すように、連結部８５と、連結部８５の側縁に連なる２つの底部８２Ａと、底部８２Ａの連結部８５とは反対側の側縁に連なる延出片８２Ｂとを備えて構成されており、連結部８５および底部８２Ａは、前部が後部に比べてやや幅広に構成されている。
【００６１】
インピーダンス調整部材８０を２本の被覆電線１２の露出部１７に装着する際には、図１１に示すように、２つの底部８２Ａ上に被覆電線１２の露出部１７を配置し、それぞれの延出片８２Ｂを露出部１７に巻き付けるようにして圧着する。これにより、図１２から図１６に示すように、それぞれの露出部１７の外周にインピーダンス調整部材８０の調整部本体８２が装着され、端子付き電線２５が完成する。
【００６２】
また、インピーダンス調整部材８０が２本の被覆電線１２の露出部１７に装着されると、調整部本体８２がそれぞれ装着された２つの被覆電線１２間の距離が端子収容部材３０に収容される内導体２０間の距離と実質的に同一に設定される。
端子付き電線２５が完成したところで、図１６に示すように、端子収容部材３０における上下反転させたアッパ部材４０の天井壁４０Ｕ上に２つの内導体２０を組み付ける。
【００６３】
ここで、アッパ部材４０の天井壁４０Ｕの正規の組み付け位置にそれぞれの内導体２０を組み付ける際には、アッパ部材４０の天井壁４０Ｕの正規の組み付け位置に対してそれぞれの内導体２０を位置合わせする必要がある。ところが、本実施形態は、２つの被覆電線１２間の距離が端子収容部材３０に収容される内導体２０間の距離と実質的に同一に設定されているから、それぞれの内導体２０をアッパ部材４０の天井壁４０Ｕの正規の組み付け位置に位置合わせしなくても、端子付き電線２５をアッパ部材４０の天井壁４０Ｕに対して上方から載置するだけで、図１７および図１８に示すように、正規の組み付け位置に２つの内導体２０を組み付けることができる。
【００６４】
アッパ部材４０の天井壁４０Ｕに端子付き電線２５を組み付けたところで、アッパ部材４０に対してロア部材３３を上方から組み付け、図２０から図２２に示すように、端子付き電線２５に端子収容部材３０が組み付けられた端子モジュール４９が完成する。
【００６５】
次に、外導体５０の第１外導体５１における筒状部５２の後方から端子モジュール４９の端子収容部材３０を挿入して第１外導体５１を端子モジュール４９の端子収容部材３０の外周に組み付け、その後、第１外導体５１に対して第２外導体６０を組み付ける。
【００６６】
第２外導体６０の組み付けは、第１外導体５１の舌片５５が上側になるようにして第２外導体６０の天井板６１上に第１外導体５１を載置し、固定バレル６２を筒状部５２に巻き付けるようにして圧着すると共に、接続バレル６３の複数の固定片６５を舌片５５およびシールド部１５に巻き付けるようにして圧着する。そして、それぞれの固定片６５のフック部６６を舌片５５の側縁に引っ掛けることで固定片６５が舌片５５およびシールド部１５から外れないように固定される。
【００６７】
次に、外導体５０が装着された端子モジュール４９をハウジング７０の外導体収容部７２に後方から挿入し、外導体５０が正規の収容位置に至ると、図３に示すように、ランス７３が外導体５０のランス孔６１Ａに嵌まり込むことで外導体５０がハウジング７０内に抜け止めされて保持される。これにより、通信用のコネクタ１０が完成する。
【００６８】
次に、通信用のコネクタ１０の作用および効果について説明する。
シールド電線１１の被覆電線１２に内導体２０を接続するには、シールド電線１１の端末においてシース部１６を皮剥ぎすると共にシールド部１５を折り返す必要がある。すると、シールド電線１１の端末では、シールド部１５に覆われていない被覆電線１２の露出部１７において信号の反射が生じ、通信品質が低下することが懸念される。
【００６９】
そこで、本発明者らは、上記の課題を解決するため、鋭意検討を行った結果、本実施形態の構成を見出した。すなわち、本実施形態の通信用のコネクタ１０は、通信用の信号が伝送される芯線１３を、絶縁性を有する絶縁被覆１４によって覆った少なくとも１本の被覆電線１２と、被覆電線１２の外周を覆う導電性のシールド部１５と、シールド部１５の外周を覆うシース部１６と、を有するシールド電線１１と、被覆電線１２に接続される内導体（端子）２０と、を備えており、被覆電線１２の内導体２０側（前側）の端部は、シース部１６およびシールド部１５から露出した露出部１７とされており、露出部１７は、図１２から図１５に示すように、導電性を有するインピーダンス調整部材８０によって覆われている。
【００７０】
すなわち、本実施形態によると、被覆電線１２の露出部１７は、導電性を有するインピーダンス調整部材８０に覆われており、シールド部１５から露出した被覆電線１２が内導体２０の接続される直前の位置まで導電性を有する部材によって覆われた状態となるから、シールド部１５に覆われている被覆電線１２と露出部１７との間でインピーダンスが変化することを抑制できる。これにより、被覆電線１２における通信品質の低下を抑制することができる。
【００７１】
また、シールド電線１１は、複数の被覆電線１２を含み、インピーダンス調整部材８０は、露出部１７の外周面に沿ってそれぞれ装着される筒状の調整部本体８２を複数有している。
【００７２】
シールド部１５から露出した複数の被覆電線１２の露出部１７が調整部本体８２によって個別に覆われることにより、調整部本体８２によって露出部１７のインピーダンスが変化することを個別に抑制できるから、例えば、複数の被覆電線１２の露出部１７がインピーダンス調整部材によって一括して覆われる場合に比べて、露出部１７においてインピーダンスが変化することをさらに抑制することができる。
【００７３】
また、調整部本体８２は、周方向に延びるスリット８４を有しており、スリット８４の大きさを変化させて露出部１７を覆う調整部本体８２の領域を容易に変更することができるから、露出部１７におけるインピーダンスを容易に調整することができる。
【００７４】
つまり、露出部１７におけるインピーダンスの調整精度を向上させることにより、シールド部１５に覆われている被覆電線１２と露出部１７との間で信号の反射が生じることをさらに抑制し、通信品質が低下することをさらに抑制することができる。
【００７５】
また、インピーダンス調整部材８０は、複数の調整部本体８２を連結する連結部８５をさらに備えているから、例えば、調整部本体が露出部毎に個別に別体として構成されている場合に比べて、インピーダンス調整部材８０の部品点数を低減することができる。
【００７６】
また、本実施形態の通信用のコネクタ１０は、図２０から図２２に示すように、内導体２０を複数並べて収容する端子収容部材３０をさらに備えており、連結部８５は、複数の被覆電線１２間の距離が端子収容部材３０に収容される内導体２０間の距離と実質的に同一となるように調整部本体８２を連結している。
【００７７】
つまり、インピーダンス調整部材８０の連結部８５によって複数の被覆電線１２間の距離を端子収容部材３０における内導体２０間の距離に合わせることができるから、複数の内導体２０を端子収容部材３０のそれぞれのキャビティ３１に対して位置決めして組み付ける場合に比べて、複数の内導体２０を端子収容部材３０に組み付ける組み付け作業性を向上させることができる。
【００７８】
また、端子収容部材３０は、インピーダンス調整部材８０を収容する大収容部（調整部材収容部）３２を有しており、端子収容部材３０において内導体２０を収容するキャビティ３１が配された部分と大収容部３２との間には、インピーダンス調整部材８０が露出部１７に対して正規の位置に装着されていない場合にインピーダンス調整部材８０と干渉する本体位置検知部４７および中央位置検知部４８（位置ずれ検知部）が設けられている。
【００７９】
例えば、被覆電線１２の露出部１７に対してインピーダンス調整部材８０が正規の位置とは異なる不正規の位置に装着されている場合、露出部１７においてインピーダンスを十分に調整することができず通信品質が低下することが懸念される。また、インピーダンス調整部材８０材が内導体２０側にずれて装着されている場合には、内導体２０とインピーダンス調整部材８０とが接触して内導体２０同士が短絡する虞がある。
【００８０】
ところが、本実施形態の端子収容部材３０は、露出部１７に対してインピーダンス調整部材８０が前方に位置ずれした不正規な位置に装着されている場合には、図２３に示すように、大収容部３２へインピーダンス調整部材８０を組み付ける際に、インピーダンス調整部材８０の調整部本体８２と本体位置検知部４７が接触して干渉する、もしくは連結部８５と中央位置検知部４８とが接触して干渉することにより、インピーダンス調整部材８０を大収容部３２組み付けることができなくなっている。
【００８１】
つまり、本実施形態によると、露出部１７に対してインピーダンス調整部材８０が位置ずれすることに起因して通信品質が低下することを防ぐことができると共に、内導体２０同士が短絡することを防ぐことができる。また、振動などによってインピーダンス調整部材８０が露出部１７から前方に位置ずれすることを防ぐことができる。
【００８２】
また、中央位置検知部４８は、端子収容部材３０において複数の内導体２０間を隔てる隔壁４５とされている。つまり、端子収容部材３０においてキャビティ３１間を隔てる隔壁４５によってインピーダンス調整部材８０の位置ずれを検知できるから、端子収容部材３０に位置ずれ検知部を別途形成する必要がなく、端子収容部材３０の形状が複雑になることを抑制することができる。
【００８３】
＜他の実施形態＞
本明細書で開示される技術は上記記述及び図面によって説明した実施形態に限定されるものではなく、例えば次のような種々の態様も含まれる。
（１）上記実施形態では、２つの調整部本体８２が連結部８５によって連結された構成にした。しかしながら、これに限らず、２つの調整部本体が個別に別体として構成されてもよい。
【００８４】
（２）上記実施形態では、インピーダンス調整部材８０の調整部本体８２がスリット８４を有する構成にした。しかしながら、これに限らず、図２４に示すように、インピーダンス調整部材１８０の調整部本体１８２にスリットが形成されていない構成にしてもよい。
【００８５】
（３）上記実施形態では、インピーダンス調整部材８０とシールド部１５とが接続されていない構成にした。しかしながら、これに限らず、インピーダンス調整部材とシールド部とが電気的に接続される構成にしてもよい。
【００８６】
（４）上記実施形態では、シールド電線１１の２本の被覆電線１２に接続された内導体２０を雌型端子として構成した。しかしながら、これに限らず、図２４に示すように、シールド電線１１の２本の被覆電線１２に接続された内導体１２０を雄型端子として構成してもよい。
【符号の説明】
【００８７】
１０：コネクタ
１１：シールド電線
１２：被覆電線
１３：芯線
１４：絶縁被覆
１５：シールド部
１６：シース部
１７：露出部
２０：内導体（「端子」の一例）
２５：端子付き電線
３０：端子収容部材
３２：大収容部（「調整部材収容部」の一例）
４５：隔壁
４７：本体位置ずれ検知部（「位置ずれ検知部」の一例）
４８：中央位置ずれ検知部（「位置ずれ検知部」の一例）
４９：端子モジュール
５０：外導体
７０：ハウジング
８０：インピーダンス調整部材
８２：調整部本体
８４：スリット
８５：連結部
【図１】
2020107567.tif 000003
【図２】
2020107567.tif 000004
【図３】
2020107567.tif 000005
【図４】
2020107567.tif 000006
【図５】
2020107567.tif 000007
【図６】
2020107567.tif 000008
【図７】
2020107567.tif 000009
【図８】
2020107567.tif 000010
【図９】
2020107567.tif 000011
【図１０】
2020107567.tif 000012
【図１１】
2020107567.tif 000013
【図１２】
2020107567.tif 000014
【図１３】
2020107567.tif 000015
【図１４】
2020107567.tif 000016
【図１５】
2020107567.tif 000017
【図１６】
2020107567.tif 000018
【図１７】
2020107567.tif 000019
【図１８】
2020107567.tif 000020
【図１９】
2020107567.tif 000021
【図２０】
2020107567.tif 000022
【図２１】
2020107567.tif 000023
【図２２】
2020107567.tif 000024
【図２３】
2020107567.tif 000025
【図２４】
2020107567.tif 000026